(57)【要約】【課題】通常使用されているボタンは、剛体で形状・大きさが固定されているので、衣類等の生地によってはボタンの掛け外しが困難である。特に、幼児，高齢者や身体の不自由な人にとっては、非常に扱いにくいものである。【解決手段】本発明は、把持して引き上げたり押し下げたりする把持材と、該把持材に対向して衣類に取着されるベース材と、これら把持材とベース材を連結する連結部材とから成るボタンで、ボタンの直径を変化させることにより、幼児，高齢者や身体の不自由な人でも大きな力を加えることなく、ボタンの掛け外しが容易に行えるようにしたボタンである。【選択図】図４
2006311876.tif 000002
【特許請求の範囲】
【請求項１】
衣類等の一方にはボタンを固着し、他方には該衣類等が重ね合わさる部分に該ボタンに対向してボタン穴を設け、該ボタン穴に上記ボタンを挿通することにより掛け外しを行なうようにしたボタンであって、把持して引き上げたり押し下げたりする把持材と、該把持材に対向して衣類等に取着されるベース材と、これら把持材とベース材を連結する連結部材とから成るボタン。
【請求項２】
上記把持材に磁石を、ベース材に磁性体をそれぞれ装備することにより、これらを磁着するようにしたことを特徴とする請求項１記載のボタン。
【請求項３】
上記把持材に係合子を、ベース材に突起を形成することにより、これらを係合するようにしたことを特徴とする請求項１記載のボタン。
【請求項４】
上記連結部材の下部材を複数に分割し、それぞれを異なる位置に取着することにより、引張力あるいは突張力を生成させるようにしたことを特徴とする請求項１〜３記載のボタン。
【発明の詳細な説明】
【技術分野】
【０００１】
本発明は、衣類などに使用するボタンに関するもので、掛け外しの容易なボタンに係るものであり、特に幼児，高齢者や身体の不自由な人でも容易に掛け外すことができるボタンに係るものである。
【背景技術】
【０００２】
洋服，セータ，カーディガン，パジャマなどの衣類に取り付けられるボタンは、衣類の一方にはボタンを固着し、他方には該衣類が重ね合わさる部分に上記ボタンに対向して、該ボタンの直径よりやや大きなボタン穴を設け、このボタン穴に上記ボタンを挿通することにより掛け外しが行われる。通常、この種のボタンは、貝殻，木材，合成樹脂や金属などで作製されている。
【０００３】
ところが、衣類が綿，絹，ポリエステルのような柔らかく滑りやすい生地であれば、比較的ボタンの掛け外しが容易であるが、衣類がデニムなどの硬くて分厚い生地で生成されている場合には、掛け外しが困難であり、手間を要する。特に、幼児，高齢者や身体の不自由な人にとっては、生地の厚い薄いにかかわらず、衣服の着脱の際、ボタンをボタン穴に挿通したり外すことは容易でなく、衣服の着脱が極めて不便に感じるものである。
また、通常使用されているボタンは、いずれも貝殻，木材，合成樹脂や金属などで作製された剛体で、しかも形状・大きさが固定的であるのが一般的である。そして、ボタンとボタン穴の直径を非常に近接して作製することにより、掛けたボタンが簡単に外れないようにしている。そのために、ボタンの掛け外しがより困難となっているのである。
【０００４】
上記のとおり、ボタンをボタン穴に通すことが困難であることから、ボタンに代えて凸部と凹部とからなるホックを使用したものがある。しかし、このような係止方法であっても両手で操作することが必要で、身体の不自由な人にとっては難しい操作である点に変わりない。
これに対し、次のような発明が提案されている。
例えば、特開平８−１３２１１号公報に記載されているように、医療用あるいは老人用衣服として、軽い肉薄のプラスチック磁石を使用して、着脱の容易な、肌当たりの良い衣服が提供されている。
また、特開平１１−１６９２０８号公報に記載されているように、上記と同様に磁石を利用してこの磁力により、幼児，高齢者や身体の不自由な人でも、片手で簡単かつ容易に着脱できるボタンが提案されている。
【０００５】
【特許文献１】特開平８−１３２１１号公報（同公報図１および図２参照）
【特許文献２】特開平１１−１６９２０８号公報（同公報図１参照）
【発明の開示】
【発明が解決しようとする課題】
【０００６】
上記したように、通常使用されているボタンは、剛体で形状・大きさが固定されているので、ボタンの掛け外しがより困難である。そのため、このようなボタンであると、上記のとおり、幼児，高齢者や身体の不自由な人にとっては、非常に扱いにくいものとなっているのである。
また、前記の磁石を利用したボタンは、いずれも磁力によって吸着することにより、あるいはこの磁力に抗して引き離すことによりボタンを掛け外すものである。この場合、衣服の一部がテーブルや机の端などに引っかかるなど予期しない事態により簡単に外れてしまうことがある。
【０００７】
また、磁力に抗して引き離すことによりボタンの掛け外しができるので、該ボタンを持って外すことなく、衣類の端を持って強引に引き離すことによりボタンを外すことがある。この場合、該ボタンの取着部の生地を傷めるという問題がある。この問題については、ホック式のものであっても同様である。
そこで、本発明は、上記種々の問題を解決すべくなされたもので、ボタンの直径を変化させることにより、幼児，高齢者や身体の不自由な人でも大きな力を加えることなく、ボタンの掛け外しが容易に行えるボタンを提供することを目的とするものである。
【課題を解決するための手段】
【０００８】
本発明は、衣類等の一方にボタンを固着し、該衣類等が重ね合わさる他方の部分に該ボタンに対向してボタン穴を設け、該ボタン穴に上記ボタンを挿通することにより掛け外しを行なうようにしたボタンであって、該ボタンは、把持して引き上げたり押し下げたりする把持材と、該把持材に対向して衣類に取着されるベース材と、これら把持材とベース材を連結する連結部材とから成るボタンである。
また、本発明は、上記把持材に磁石を、ベース材に酸化鉄，酸化クロム，コバルト，ニッケル，フェライトなど磁性を帯びることが可能な物質（以下「磁性体」という）をそれぞれ装備することにより、これらを磁着するようにしたことを特徴とするボタンである。
更に、本発明は、上記把持材に係合子を、ベース材に突起を形成することにより、これらを係合するようにしたことを特徴とするボタンである。
あるいは、本発明は、上記連結部材の下部材を複数に分割し、これを異なる位置に取着することにより、引張力あるいは突張力を生成させるようにしたことを特徴とするボタンである。
【発明の効果】
【０００９】
上記のように構成したことにより、簡単な操作でボタン自体の直径が縮小・拡大するので、該ボタンをボタン穴に挿通したり外したりすることが容易になり、幼児，高齢者や身体の不自由な人でもボタンの掛け外しが容易に出来るようになった。
また、ボタンの直径を縮小・拡大する操作を片手で行うことができるので、片手が不自由な人であっても、他人の手をわずらわすことなく、自分自身の手でボタンの掛け外しが容易にできるようになり、衣類の着脱が簡単に行えるようになった。
また、介護する場合にあっては、介護者は片方の手で被介護者を支えながら、もう一方の手でボタンの掛け外しを簡単に行えるので、着替え等を容易に行うことができ、肉体的な負担を著しく軽減することができるようになった。
また、ボタンを掛けた状態でテーブルや机の端に引っ掛かり、多少の力が加わっても、ボタン直径がボタン穴より大きいので、ベース材がボタン穴を簡単には抜けることがなく、正しくボタンをボタン穴より外さなければ、ボタンが外れることはない。従って、強引に引き離してボタンを外すことにより、ボタン取着部の生地を傷めるということはない。
【発明を実施するための最良の形態】
【００１０】
以下、本発明によるボタンの最良の実施形態を図面に基づいて詳細に説明する。
図１は、本発明によるボタンの最良の形態を示す要部拡大斜視図である。構造が複雑なため、同図では、理解し易いように一部簡略化するとともに前面の半分のみを示している。また、洋服，セータ，カーディガン，パジャマなどの衣類等に本発明によるボタンを取着した状態を示すと、図面が複雑になるので、衣類等の図示は省略する。以下の図面についても同様である。
同図において、１は本発明によるボタンで、該ボタン１は、把持材２，ベース材３およびこれら把持材２とベース材３とを連結し、ボタン１としての形状を形成するための連結部材４とから成っている。
【００１１】
上記把持材２は、ボタン１の略中央上部に形成され、該把持材２を把持して引き上げたり、押し下げるものである。ベース材３は、ボタン１の中央下部に上記把持材２に対向して設けられ、衣類等（不図示）に取着されている。
連結部材４は、上部材４１と下部材４２とからなり、これら上部材４１と下部材４２は、互いに回動可能に連結されているとともに、上部材４１の他端は把持材２に対し回動自在に取着されており、下部材４２の他端はベース３に対し回動自在に取着されている。また、この連結部材４は、上記把持材２とベース材３を中心として放射状に複数取着され、鳥かご状に構成されている。
また、図示していないが、上記把持材２，ベース材３および連結部材４を布あるいは合成樹脂の薄膜などで被覆することにより、ボタン１を構成するものである。
【００１２】
図２は、上記連結部材４の下部材４２の詳細を示す平面図である。
同図示のように、連結部材４の下部材４２は、一方には上記上部材４１に回動自在に取着するための取付部４２１が形成され、他方は３つに分割され、第一取付部４２２および第二取付部４２３が形成され、いずれもベース部３に取着されている。そして、第二取付部４２３は、第一取付部４２２より少々長めに形成されている。
本実施例では、第二取付部４２３を長めに形成しているが、第一取付部４２２を長めに形成しても良く、いずれであっても良い。また、第一取付部４２２と第二取付部４２３とを三分割したものを示したが、二分割あるいは四分割等複数に分割しても良いことは言うまでもない。
【００１３】
図３は、ベース３と連結部材４の下部材４２との連結状態を示す側面断面図で、同図により連結部材４の下部材４２の作用について詳細に説明する。
同図に示すように、第一取付部４２２はベース３の中央部３１に取り付けられ、第二取付部４２３はベース３の下部３２に取り付けられている。
上記のとおり、第一取付部４２２はベース３の中央部３１に取り付けられ、第二取付部４２３はベース３よりやや小径に形成したベース３の下部３２に取り付けられているため、同図中実線で示す状態では第二取付部４２３で下部材４２を突張った状態に維持される。この状態から、第二取付部４２３の突張力に抗して下部材４２を時計回り方向に回動すると、同図中一点鎖線で示す状態に維持される。この状態では、第二取付部４２３は下部材４２に引張力が働き、ボタン１の把持材２を上方へ突き上げ、ボタン１の直径を大きく縮小することになる（図４参照）。
このようにして、ボタン１の直径を変化させ、縮小あるいは拡大することにより、ボタン穴への挿通・離脱させることが容易になる。
【００１４】
図４は、上記に説明した連結部材４の下部材４２の回動により、ボタン１がどのように形態を変化させるかを示す状態説明図である。同図に示すように、把持材２を把持して引き上げることにより、連結部材４の下部材４２が上方に回動し、該連結部材４が伸張して、ボタン１の把持部２が図中矢印で示すように押し上げられ、ボタン１の直径がＬ１からＬ２に縮小されることになる。
逆に、一点鎖線で示す把持材２を同図中下方に押し下げることにより、連結部材４の下部材４２は下方に回動し、同図中実線で示すように偏平になり、ボタン１の直径がＬ２からＬ１に拡大され、重ね合った衣類を確実に止めることになる。
なお、同図中６は磁石、７は酸化鉄，酸化クロム，コバルト，ニッケル，フェライトなど磁性を帯びることが可能な物質から成る磁性体であり、把持材２とベース材３とを磁着するものである。これらは、下部材４２の突張力，引張力により、ボタン１の形状を形成するものであるが、該ボタン１の形状をより確実に維持するために、念のため装備するものである。
【実施例１】
【００１５】
図５は、連結部材４の回動構造に関する他の実施例を示す要部概略断面側面図である。
同図中前記実施例と同じ符号を付したものについては、実質的に同じであり、詳細な説明を省略する。
同図での実施例は、連結部材４の上部材４１と下部材４２との間に、取付部４２１を中心として回動するようにコイルスプリングや板バネなどの弾性材８を介在させることにより、常時把持部２とベース３とを離脱させる方向に、即ち連結部材４を伸張させる方向に付勢している。
なお、本実施例においても、前記実施例と同様に把持材２に磁石６を、ベース材３に磁性体７を装備しておけば、より確実にボタン１の掛け外しが行えることは言うまでもない。
【実施例２】
【００１６】
図６は、把持材２とベース材３との係合に関する他の実施例を示す要部拡大斜視図である。
同図に示すように、本実施例では、把持材２に係合子９を形成し、該係合子９に対向してベース材３に突起１０を形成したものである。同図では連結部材４を省略しているが、図１，４，５に示すように構成されている。
把持材２をベース材３に押し付ければ、該把持部２の係合子９がベース材３の突起１０に係合して、把持材２とベース材３とが係合し、ボタン１はその直径を拡大し偏平状になる。外す場合は、把持材２を反時計方向に回動すれば、係合子９が突起１０より外れ、同図では図示しない弾性材８などの作用により、連結部材４が伸張し、ボタン１の直径を縮小することになる。
【００１７】
なお、上記実施例では、連結部材４の下部材４２自身の弾力あるいは連結部材４の上部材４１と下部材４２との間に介装した弾性材８によりボタン１が変形する実施例を示したが、これに限定するものではなく、これらの組み合わせにより形成しても良いことは言うまでもない。
【００１８】
また、本実施例では、連結部材４が複数で形成されたものを示したが、連結部材４を４本にすれば四角形のボタンが、連結部材４を５本にすれば五角形のボタンが、連結部材４を６本にすれば六角形のボタンが、連結部材４を７本にすれば七角形のボタンが、連結部材４を８本にすれば八角形のボタンが、容易に生成することができる。
また、把持材２，ベース材３および連結部材４を布あるいは合成樹脂の薄膜で被覆する旨説明したが、これらの被覆材を交換すれば、種々の変形が自由自在に可能である。従って、飾りボタンなどに適用することが容易であり、また同じ衣類であってもボタン１の被覆材を交換することにより、種々のコーディネートを楽しむことができる。
【００１９】
なお、上記実施例では、衣類に取着するボタンについて説明したが、これに限定するものではなく、カーテンを束ねたり、布団のカバーを止着したりするなど、ボタンを使用して複数種のものを互いに止める場合にも適用できることは言うまでもない。
【産業上の利用可能性】
【００２０】
特になし。
【図面の簡単な説明】
【００２１】
【図１】本発明によるボタンの最良の形態を示す要部拡大斜視図である。
【図２】本発明によるボタンの連結部材の下部材を示す平面図である。
【図３】本発明によるボタンのベースと連結部材の下部材との連結状態を示す断面側面図である。
【図４】本発明によるボタンの形態の変化を示す状態説明図である。
【図５】本発明によるボタンの連結部材の回動構造に関する他の実施例を示す要部概略断面側面図である。
【図６】本発明によるボタンの把持部とベースとの係合に関する他の実施例を示す要部拡大斜視図である。
【符号の説明】
【００２２】
１      ボタン
２      把持材
３      ベース
４      連結部材
４１    上部材
４２    下部材
６      磁石
７      磁性体
８      弾性材
９      係合子
１０    突起
【図１】
2006311876.tif 000003
【図２】
2006311876.tif 000004
【図３】
2006311876.tif 000005
【図４】
2006311876.tif 000006
【図５】
2006311876.tif 000007
【図６】
2006311876.tif 000008